(57)【要約】【課題】小型で複数種類のカードを同時に収納することができるカードコネクタを提供する。【解決手段】カードコネクタ１００は、第１カードＣＡ１を収納可能な第１カード収納部１ａおよび第１カードＣＡ１よりも幅狭の第２カードＣＡ２を収納可能な第２カード収納部１ｂを有するハウジング１と、第１カードＣＡ１および第２カードＣＡ２と接触可能な端子部２と、第１カードＣＡ１を排出させる第１排出機構３０と、を備え、第２カード収納部１ｂは第１カード収納部１ａの上方に配置され、第１排出機構３０は、奥行方向に沿ってスライド可能に配置されたスライド部材３を有し、スライド部材３をスライドさせることで第１カードＣＡ１を排出するカードコネクタであって、第１排出機構３０は、第１カード収納部１ａの上方で、かつ第２カード収納部１ｂの側方に配置されている構成とした。【選択図】図１
2015133294.tif 000002
【特許請求の範囲】
【請求項１】
第１カードおよび前記第１カードよりも幅狭の第２カードを収納可能であり、前記第１カードを収納可能な第１カード収納部および前記第２カードを収納可能な第２カード収納部を有するハウジングと、
前記第１カードおよび前記第２カードと接触可能な端子部と、
前記第１カードを排出させる第１排出機構と、を備え、
前記第２カード収納部は前記第１カード収納部の上方に配置され、
前記第１カードおよび前記第２カードは奥行方向に沿って挿入、排出され、
前記第１排出機構は、前記奥行方向に沿ってスライド可能に配置されたスライド部材を有し、前記スライド部材を前記奥行方向に沿ってスライドさせることで前記第１カードを排出するカードコネクタであって、
前記第１排出機構は、前記第１カード収納部の上方で、かつ前記第２カード収納部の側方に配置されていることを特徴とするカードコネクタ。
【請求項２】
前記ハウジングは、前記第１カード収納部の上方を覆うように配置された第１カバー部材と、空間部を挟んで前記第１カバー部材の上方に配置された第２カバー部材と、を有し、
前記第１カバー部材または前記第２カバー部材のいずれか一方は前記空間部に向かって延出形成された仕切部を有し、
前記空間部の、前記仕切部を挟んで一方側を前記第２カード収納部とするとともに、他方側を前記第１排出機構が収納される第１排出機構収納部とすることを特徴とした請求項１に記載のカードコネクタ。
【請求項３】
前記スライド部材は、前記奥行方向にスライド支持される本体部から下方へ突出して形成されるとともに、前記第１カバー部材の上面に形成された開口に挿通され、前記第１カードの前記奥行方向側の前端部に当接可能な係止部を備えたことを特徴とする請求項１または請求項２に記載のカードコネクタ。
【発明の詳細な説明】
【技術分野】
【０００１】
本発明は、カードコネクタに関し、特に、複数種類のカードを同時に収納することができるカードコネクタに関するものである。
【背景技術】
【０００２】
昨今、複数種類のカードを収納可能な電子機器が増えてきており、複数種類のカードを同時に収納することができるカードコネクタが求められている。このようなカードコネクタとしては、下記の特許文献１に記載のカードコネクタが知られている。
【０００３】
以下、図１８を用いて、特許文献１に記載のカードコネクタについて説明する。図１８は特許文献１に記載のカードコネクタ９００の構成を示す分解斜視図である。
【０００４】
特許文献１に記載のカードコネクタ９００は、図１８に示すように、略平板形状を呈するインシュレータ９１１と、導電性のコンタクト（第１のコンタクト９２１、第２のコンタクト９２３）と、イジェクト機構（第１のイジェクト機構９４３、第２のイジェクト機構９４５）とを備えている。カードコネクタ９００に接続するカードは、略長四角板形状を呈しており、カード寸法がそれぞれ異なる第１のカード９３１と第２のカード９３３である。インシュレータ９１１は、第１のコンタクト９２１が設けられ第１のカード９３１を収容可能な第１のカード収容部９１３と、第２のコンタクト９２３が設けられ第２のカード９３３を収容可能な第２のカード収容部９１５とを有している。
【０００５】
第１のイジェクト機構９４３は、第１のカード収容部９１３に突出し、第１のカード９３１に当接する第１のイジェクトアーム９４３ａを有し、第２のイジェクト機構９４５は、第２のカード収容部９１５に突出し、第２のカード９３３に当接する第２のイジェクトアーム９４５ａを有している。また、インシュレータ９１１の側方（Ｘ１方向側）には、Ｙ１−Ｙ２方向に移動可能な操作部９４３ｆが配置され、第１のイジェクト機構９４３および第２のイジェクト機構９４５は、操作部９４３ｆに連動して動作する。操作部９４３ｆをＹ２方向へ移動させると、第１のイジェクトアーム９４３ａおよび第２のイジェクトアーム９４５ａはＹ２方向へ移動し、インシュレータ９１１に収納されたカード（第１のカード９３１、第２のカード９３３）を排出することができる。
【先行技術文献】
【特許文献】
【０００６】
【特許文献１】特開２００４−２２５１４号公報
【発明の概要】
【発明が解決しようとする課題】
【０００７】
なお、昨今、カードコネクタが取り付けられる電子機器の小型化や各種構成部品の高密度実装化に伴い、配置面積が小さいカードコネクタが求められている。しかしながら、特許文献１に記載のカードコネクタ９００は、イジェクト機構（第１のイジェクト機構９４３、第２のイジェクト機構９４５）はカード収容部（第１のカード収容部９１３、第２のカード収容部９１５）の側方に配置されているため、幅方向に大型化してしまうという問題がある。
【０００８】
本発明は、上述した課題を解決して、小型で複数種類のカードを同時に収納することができるカードコネクタを提供するものである。
【課題を解決するための手段】
【０００９】
請求項１に記載のカードコネクタにおいては、第１カードおよび前記第１カードよりも幅狭の第２カードを収納可能であり、前記第１カードを収納可能な第１カード収納部および前記第２カードを収納可能な第２カード収納部を有するハウジングと、前記第１カードおよび前記第２カードと接触可能な端子部と、前記第１カードを排出させる第１排出機構と、を備え、前記第２カード収納部は前記第１カード収納部の上方に配置され、前記第１カードおよび前記第２カードは奥行方向に沿って挿入、排出され、前記第１排出機構は、前記奥行方向に沿ってスライド可能に配置されたスライド部材を有し、前記スライド部材を前記奥行方向に沿ってスライドさせることで前記第１カードを排出するカードコネクタであって、前記第１排出機構は、前記第１カード収納部の上方で、かつ前記第２収納部の側方に配置されている、という特徴を有する。
【００１０】
請求項２に記載のカードコネクタにおいては、前記ハウジングは、前記第１カード収納部の上方を覆うように配置された第１カバー部材と、空間部を挟んで前記第１カバー部材の上方に配置された第２カバー部材と、を有し、前記第１カバー部材または前記第２カバー部材のいずれか一方は前記空間部に向かって延出形成された仕切部を有し、前記空間部の、前記仕切部を挟んで一方側を前記第２カード収納部とするとともに、他方側を前記第１排出機構が収納される第１排出機構収納部とする、という特徴を有する。
【００１１】
請求項３に記載のカードコネクタにおいては、前記スライド部材は、前記奥行方向にスライド支持される本体部から下方へ突出して形成されるとともに、前記第１カバー部材の上面に形成された開口に挿通され、前記第１カードの前記奥行方向側の前端部に当接可能な係止部を備えた、という特徴を有する。
【発明の効果】
【００１２】
請求項１の発明によれば、第２カードは第１カードよりも幅狭であるため、第２カード収納部も第１カード収納部よりも幅狭に形成することができる。そのため、第１カード収納部の上方で、かつ前記第２収納部の側方には、幅寸法が第１カード収納部の幅寸法と第２カード収納部の幅寸法との差分の領域ができる。この領域に第１排出機構を配置することで、従来のように、第１カード収納部および第２カード収納部の側方に第１排出機構を配置する構成に比べて、第１排出機構による幅方向への突出が抑えられ、幅方向の小型化を図ることができる。したがって、小型で複数種類のカードを同時に収納することができるカードコネクタを提供することができる、という効果を奏する。
【００１３】
請求項２の発明によれば、第１カバー部材または第２カバー部材のいずれか一方に仕切部を設け、空間部を第２カード収納部と第１排出機構収納部とに仕切る構成とした。これにより、空間部を第２カード収納部と第１排出機構収納部とに仕切るため部材を別途追加する必要がなく、構成部品数を抑制することができる、という効果を奏する。
【００１４】
請求項３の発明によれば、スライド部材を手前に引き出すことで第１カードを排出することができ、第１カードが小型であった場合でも排出しやすい、という効果を奏する。
【００１５】
以上より、本発明によれば、小型で複数種類のカードを同時に収納することができるカードコネクタを提供することができる。
【図面の簡単な説明】
【００１６】
【図１】第１実施形態におけるカードコネクタ１００、第１カードＣＡ１および第２カードＣＡ２を示す図であり、図１（ａ）はカードコネクタ１００、第１カードＣＡ１および第２カードＣＡ２の外観を示す斜視図であり、図１（ｂ）は図１（ａ）に示すＹ２方向から見た状態のカードコネクタ１００を示す側面図である。
【図２】第１実施形態におけるカードコネクタ１００の構成を示す分解斜視図である。
【図３】第１実施形態における第１カードＣＡ１および第２カードＣＡ２を示す図であり、図３（ａ）は図１（ａ）に示すＺ２方向側から見た状態の第１カードＣＡ１を示す平面図であり、図３（ｂ）は図１（ａ）に示すＺ２方向側から見た状態の第１カードＣＡ１を示す平面図である。
【図４】第１実施形態におけるスライド部材３を示す図であり、図４（ａ）はスライド部材３の外観を示す斜視図であり、図４（ｂ）は図４（ａ）に示すＺ１方向から見た状態のスライド部材３を示す平面図であり、図４（ｃ）は図４（ａ）に示すＸ２方向から見た状態のスライド部材３を示す側面図である。
【図５】第１実施形態におけるハウジング１を示す図であり、図５（ａ）はハウジング１の外観を示す斜視図であり、図５（ｂ）は図５（ａ）に示すＹ２方向側から見た状態のハウジング１を示す側面図である。
【図６】第１実施形態におけるケース１ｋの外観を示す斜視図である。
【図７】第１実施形態におけるケース１ｋを示す図であり、図７（ａ）は図６に示すＺ１方向側から見た状態のケース１ｋを示す平面図であり、図７（ｂ）は図６に示すＹ２方向側から見た状態のケース１ｋを示す側面図である。
【図８】第１実施形態における第１カバー部材１ｃを示す図であり、図８（ａ）は第１カバー部材１ｃの外観を示す斜視図であり、図８（ｂ）は図８（ａ）に示すＺ１方向側から見た状態の第１カバー部材１ｃを示す平面図である。
【図９】第１実施形態における第２カバー部材１ｄの外観を示す斜視図である。
【図１０】第１実施形態における第２カバー部材１ｄを示す図であり、図１０（ａ）は図９に示すＺ１方向側から見た状態の第２カバー部材１ｄを示す平面図であり、図１０（ｂ）は図９に示すＹ２方向側から見た状態の第２カバー部材１ｄを示す側面図である。
【図１１】第１実施形態における第１カバー部材１ｃがケース１ｋに保持された状態を示す斜視図である。
【図１２】第１実施形態における第２カバー部材１ｄを組み込む前の状態のカードコネクタ１００を示す図であり、図１２（ａ）は第２カバー部材１ｄを組み込む前の状態のカードコネクタ１００の外観を示す平面図であり、図１２（ｂ）は図１２（ａ）に示すＹ２方向側から見た第２カバー部材１ｄを組み込む前の状態のカードコネクタ１００を示す側面図である。
【図１３】第１実施形態におけるカードコネクタ１００を示す図であり、図１３（ａ）はカードコネクタ１００の外観を示す平面図であり、図１３（ｂ）は図１３（ａ）に示すＹ２方向側から見た状態のカードコネクタ１００を示す側面図である。
【図１４】第１実施形態における第１カードＣＡ１および第２カードＣＡ２が挿入されたカードコネクタ１００の外観を示す斜視図である。
【図１５】図１４に示すＺ１方向側から見た状態の第１カードＣＡ１および第２カードＣＡ２が挿入されたカードコネクタ１００の外観を示す平面図である。
【図１６】図１４に示すＺ１方向側から見た状態の第１カードＣＡ１および第２カードＣＡ２が挿入されたカードコネクタ１００の外観を示す平面図である。
【図１７】図１６に示す状態から第１カードＣＡ１を排出した状態を示す平面図である。なお、図１６においては第２カバー部材１ｄおよび第２カードＣＡ２を図示していない。
【図１８】特許文献１に記載のカードコネクタ９００の構成を示す分解斜視図である。
【発明を実施するための形態】
【００１７】
［第１実施形態］
以下に第１実施形態におけるカードコネクタについて説明する。
【００１８】
まず始めに第１実施形態におけるカードコネクタ１００の構成について図１ないし図１１を用いて説明する。図１は第１実施形態におけるカードコネクタ１００、第１カードＣＡ１および第２カードＣＡ２を示す図であり、図１（ａ）はカードコネクタ１００、第１カードＣＡ１および第２カードＣＡ２の外観を示す斜視図であり、図１（ｂ）は図１（ａ）に示すＹ２方向から見た状態のカードコネクタ１００を示す側面図である。図２は第１実施形態におけるカードコネクタ１００の構成を示す分解斜視図である。図３は第１実施形態における第１カードＣＡ１および第２カードＣＡ２を示す図であり、図３（ａ）は図１（ａ）に示すＺ２方向側から見た状態の第１カードＣＡ１を示す平面図であり、図３（ｂ）は図１（ａ）に示すＺ２方向側から見た状態の第１カードＣＡ１を示す平面図である。図４は第１実施形態におけるスライド部材３を示す図であり、図４（ａ）はスライド部材３の外観を示す斜視図であり、図４（ｂ）は図４（ａ）に示すＺ１方向から見た状態のスライド部材３を示す平面図であり、図４（ｃ）は図４（ａ）に示すＸ２方向から見た状態のスライド部材３を示す側面図である。図５は第１実施形態におけるハウジング１を示す図であり、図５（ａ）はハウジング１の外観を示す斜視図であり、図５（ｂ）は図５（ａ）に示すＹ２方向側から見た状態のハウジング１を示す側面図である。図６は第１実施形態におけるケース１ｋの外観を示す斜視図である。図７は第１実施形態におけるケース１ｋを示す図であり、図７（ａ）は図６に示すＺ１方向側から見た状態のケース１ｋを示す平面図であり、図７（ｂ）は図６に示すＹ２方向側から見た状態のケース１ｋを示す側面図である。図８は第１実施形態における第１カバー部材１ｃを示す図であり、図８（ａ）は第１カバー部材１ｃの外観を示す斜視図であり、図８（ｂ）は図８（ａ）に示すＺ１方向側から見た状態の第１カバー部材１ｃを示す平面図である。図９は第１実施形態における第２カバー部材１ｄの外観を示す斜視図である。図１０は第１実施形態における第２カバー部材１ｄを示す図であり、図１０（ａ）は図９に示すＺ１方向側から見た状態の第２カバー部材１ｄを示す平面図であり、図１０（ｂ）は図９に示すＹ２方向側から見た状態の第２カバー部材１ｄを示す側面図である。図１１は第１実施形態における第１カバー部材１ｃがケース１ｋに保持された状態を示す斜視図である。
【００１９】
カードコネクタ１００は、図１に示すように、異なる種類の第１カードＣＡ１および第２カードＣＡ２を収納可能であり、図２に示すように、ハウジング１と、端子部２と、第１排出機構３０と、を備えたカードコネクタである。
【００２０】
第１カードＣＡ１は、カードコネクタ１００に挿入し、電気的に接続可能なカード型の記録媒体の一つである。第１カードＣＡ１は、図１に示すように、長方形の板状に形成されており、一方の面（Ｚ２方向側の面）には、図３に示すような、カードコネクタ１００と電気的に接続可能な第１接点部ＴＲ１を複数有している。第１接点部ＴＲ１は、第１カードＣＡ１の奥行方向ＩＤ（Ｙ２側からＹ１側へ向かう方向）において前端側と後端側とに、幅方向（Ｘ１−Ｘ２方向）に沿って等間隔にそれぞれ４個ずつ並べて配置されている。
【００２１】
第２カードＣＡ２は、カードコネクタ１００に挿入し、電気的に接続可能なカード型の記録媒体の一つである。第２カードＣＡ２は、図１に示すように、長方形の板状に形成されており、一方の面（Ｚ２方向側の面）には、図３に示すような、カードコネクタ１００と電気的に接続可能な第２接点部ＴＲ２を複数有している。第２接点部ＴＲ２は奥行方向ＩＤの前端側に幅方向（Ｘ１−Ｘ２方向）に沿って等間隔に８個が並べて配置されている。また、第２カードＣＡ２は第１カードＣＡ１よりも幅狭である。すなわち、第１カードＣＡ１の幅方向の寸法Ｗ１よりも、第２カードＣＡ２の幅方向の寸法Ｗ２は小さい。
【００２２】
第１排出機構３０は、図２に示すように、スライド部材３と付勢部材４とを有している。
【００２３】
スライド部材３は合成樹脂材からなり、図４に示すように、奥行方向ＩＤ（Ｙ２側からＹ１側へ向かう方向）に沿って棒状に延設されている。スライド部材３は、直方体の棒状に形成された本体部３ａを有し、本体部３ａは上側本体部３ｂと、上側本体部３ｂから下方へ突出した下側本体部３ｃと、で形成されている。下側本体部３ｃは、上側本体部３ｂの一端側（Ｙ１方向側）の下方（Ｚ２方向側）へ直方体状に突出して形成されている。スライド部材３は、上側本体部３ｂの他端側（Ｙ２方向側）の端部にレバー部３ｄを有し、レバー部３ｄの上面（Ｚ１方向側の面）には溝状に形成された摘み部３ｅが形成されている。また、スライド部材３は、上側本体部３ｂの一端側（Ｙ１方向側）の側方（Ｘ１方向側）および上方が開放された付勢部材配置部３ｆを有している。また、スライド部材３は、下側本体部３ｃの他端側（Ｙ２方向側）の端部から、奥行方向ＩＤおよび上下方向に交差する方向の一方（Ｘ２方向）へ突出した係止部３ｇを有している。係止部３ｇの奥行方向ＩＤの後端側は、第１カードＣＡ１の奥行方向ＩＤの前端側の形状に沿った形状に形成されている。なお、第１排出機構３０（スライド部材３）の上側本体部３ｂにおける上下方向の寸法は、第２カードＣＡ２の厚さ寸法とほぼ同一の寸法に形成されている
【００２４】
付勢部材４は、図２に示すような、金属線材を巻回して形成された引張コイルばねである。付勢部材４はスライド部材３の付勢部材配置部３ｆに配置可能な大きさに形成されている。
【００２５】
ハウジング１は、図５に示すように、第１カバー部材１ｃ、第２カバー部材１ｄおよびケース１ｋからなる。
【００２６】
ケース１ｋは合成樹脂材からなり、図６に示すように、中空の直方体状に形成され、上方および側方の一面（Ｙ２方向側の面）が開放された形状をしている。ケース１ｋは、平板状に形成された底面部１ｍと、底面部１ｍの対向する２辺から上方（Ｚ１方向）へ突出した側壁１ｎと、側壁１ｎ同士を繋ぐ底面部１ｍの一方（Ｙ１方向側）の辺から上方へ突出した奥壁１ｐと、を有している。側壁１ｎは、奥壁１ｐが配置されている側の高さは、奥壁１ｐと対向する側の高さよりも高く形成されている。奥壁１ｐの一方端（Ｘ１方向側端部）は切り欠きされており、切り欠き側の端部から奥壁１ｐに対向する方向（Ｙ２方向）へ突出してガイド壁１ｗが形成されている。ガイド壁１ｗは、Ｘ１方向側の側壁１ｎに対して平行に形成され、スライド部材３の本体部３ａを配置可能な距離で離間している。また、側壁１ｎおよび奥壁１ｐに囲まれた空間のうち、図７に示す、側壁１ｎの高さが低い箇所よりも低い領域は、第１カードＣＡ１を収納可能な大きさに形成された第１カード収納部１ａである。なお、ケース１ｋには、金属薄板からなる端子部２が埋設されており、一部がケース１ｋから露出して設けられている。
【００２７】
第１カバー部材１ｃは金属板からなり、図８に示すように、略長方形の平板状に形成された第１天板部１ｑを有し、第１天板部１ｑの対向する２辺（Ｘ１方向側およびＸ２方向側の辺）から下方（Ｚ２方向）へ突出して第１横板部１ｒが形成されている。第１天板部１ｑの幅寸法（Ｘ１−Ｘ２方向の寸法）は、ケース１ｋの第１カード収納部１ａの上部を覆うことが可能な幅寸法を備えている。また、第１カバー部材１ｃの上面である第１天板部１ｑの１つの角（Ｘ１方向のＹ１方向側の角）には、切り欠きされた開口１ｈが形成されている。
【００２８】
第２カバー部材１ｄは金属板からなり、図９に示すように、略長方形の平板状に形成された第２天板部１ｓと、第２天板部１ｓの対向する２辺（Ｘ１方向側およびＸ２方向側の辺）から下方（Ｚ２方向）へ突出した第２横板部１ｔと、第２横板部１ｔ同士を繋ぐ第２天板部１ｓの一方（Ｙ１方向側）の辺から下方へ突出した奥板部１ｕと、を有している。また、第２カバー部材１ｄは、図１０に示すように、第２横板部１ｔ同士の間に、第２天板部１ｓから下方に向かって延出形成された仕切部１ｆを有している。仕切部１ｆは、第２横板部１ｔに平行な板状に形成され、第１実施形態においては、第２天板部１ｓを板金加工することで形成されている。また、仕切部１ｆとＸ１方向側の第２横板部１ｔとは、スライド部材３の本体部３ａを配置可能な間隔を空けて配置されている。なお、第２横板部１ｔおよび奥板部１ｕの高さ寸法（Ｚ１−Ｚ２方向の寸法）は、第１カバー部材１ｃの第１横板部１ｒの高さ寸法よりも大きい。また、第２カバー部材１ｄは、仕切部１ｆとＸ１方向側の第２横板部１ｔとの間に、第２天板部１ｓから下方に向かって突出した付勢部材留め１ｖを有する。付勢部材留め１ｖは、奥板部１ｕに平行な板状に形成され、第１実施形態においては、第２天板部１ｓを板金加工することで形成されている。なお、付勢部材留め１ｖと奥板部１ｕとは、付勢部材４を配置可能な間隔を空けて配置されている。また、第２カバー部材１ｄは、第２天板部１ｓの仕切部１ｆが設けられた側の反対側（Ｘ２方向側）から下方へ突出したストッパ部１ｘを有している。ストッパ部１ｘは、仕切部１ｆに平行な板状に形成され、第１実施形態においては、第２天板部１ｓを板金加工することで形成されている。なお、ストッパ部１ｘは、第２カードＣＡ２における奥行方向ＩＤ先端側の形状に沿うように、２箇所に設けられている。
【００２９】
このように形成されたケース１ｋ、第１カバー部材１ｃおよび第２カバー部材１ｄは、先ず、図１１に示すように、ケース１ｋにおいて奥壁１ｐに対向する側の上方を覆うように第１カバー部材１ｃが配置され、第１カバー部材１ｃはケース１ｋに保持される。このとき、第１カバー部材１ｃは第１カード収納部１ａの上方を覆うように配置される。また、図５に示すように、奥壁１ｐ側の第１カバー部材１ｃの上方および奥壁１ｐ側のケース１ｋの上方を覆うように第２カバー部材１ｄが配置される。このとき、第２カバー部材１ｄは、空間部１ｅを挟んで第１カバー部材１ｃの上方に配置されている。また、第２カバー部材１ｄに設けられた仕切部１ｆは空間部１ｅに向かって延出し、空間部１ｅを２つの空間に仕分ける。なお、空間部１ｅの、仕切部１ｆを挟んで一方側（Ｘ２方向側）を第２カードＣＡ２を収納可能な第２カード収納部１ｂとするとともに、他方側（Ｘ１方向側）を第１排出機構３０が収納される第１排出機構収納部１ｇとする。また、空間部１ｅの上下方向の寸法は、第２カードＣＡ２の厚さ寸法とほぼ同一の寸法に形成されている。このようにケース１ｋ、第１カバー部材１ｃおよび第２カバー部材１ｄを配置することで、ハウジング１が形成され、第２カード収納部１ｂは第１カード収納部１ａの上方に配置されるとともに、第１排出機構収納部１ｇが第１カード収納部１ａの上方で、かつ第２カード収納部１ｂの側方に配置される。
【００３０】
端子部２は金属薄板からなり、第１実施形態においては、図６に示すように、ハウジング１のケース１ｋと一体に形成されている。端子部２は底面部１ｍに設けられた第１端子部２ａと、奥壁１ｐに設けられた第２端子部２ｂと、からなる。第１端子部２ａは、図７に示すように、一端が底面部１ｍに埋設され、他端が第１カード収納部１ａに突出している。また、第１端子部２ａは、第１カードＣＡ１の第１接点部ＴＲ１の配置に対応して、第１カードＣＡ１と接触可能に、幅方向（Ｘ１−Ｘ２方向）に３つ並べて、奥行方向ＩＤの手前側と奥側との２箇所に設けられている。なお、第１端子部２ａは弾性を有している。第２端子部２ｂは、奥壁１ｐから底面部１ｍを挟んで対向する方向へ突出するとともに、第１カード収納部１ａよりの上方に配置されている。また、第２端子部２ｂは、第２カードＣＡ２の第２接点部ＴＲ２の配置に対応して、第２カードＣＡ２と接触可能に、９つ設けられており、図５に示すように、ハウジング１が形成されたときには、第２カード収納部１ｂの内部に突出するように配置されている。なお、第２端子部２ｂは弾性を有している。
【００３１】
次にカードコネクタ１００の構造について図１１ないし図１３を用いて説明する。図１２は第１実施形態における第２カバー部材１ｄを組み込む前の状態のカードコネクタ１００を示す図であり、図１２（ａ）は第２カバー部材１ｄを組み込む前の状態のカードコネクタ１００の外観を示す平面図であり、図１２（ｂ）は図１２（ａ）に示すＹ２方向側から見た第２カバー部材１ｄを組み込む前の状態のカードコネクタ１００を示す側面図である。図１３は第１実施形態におけるカードコネクタ１００を示す図であり、図１３（ａ）はカードコネクタ１００の外観を示す平面図であり、図１３（ｂ）は図１３（ａ）に示すＹ２方向側から見た状態のカードコネクタ１００を示す側面図である。
【００３２】
先ず、図１１に示すように、ケース１ｋにおいて奥壁１ｐに対向する側の上方を覆うように第１カバー部材１ｃが配置され、第１カバー部材１ｃはケース１ｋに保持される。次に、スライド部材３は、図１２に示すように、本体部３ａの下側本体部３ｃおよび係止部３ｇが第１カバー部材１ｃの上面に形成された開口１ｈに挿通され、第１カード収納部１ａ内に配置されとともに、本体部３ａがガイド壁１ｗとＸ１方向側の側壁１ｎとの間に配置され、奥行方向ＩＤに沿ってスライド支持される。なお、本体部３ａ（上側本体部３ｂ）のレバー部３ｄが形成されている側は、第１カバー部材１ｃの第１天板部１ｑ上に摺接可能に配置されている。このように、スライド部材３は、奥行方向ＩＤに沿ってスライド可能に配置されている。また、付勢部材４は、スライド部材３の付勢部材配置部３ｆ内に配置される。次に、図１３に示すように、奥壁１ｐ側（Ｙ１方向側）の第１カバー部材１ｃの上方、奥壁１ｐ側のケース１ｋの上方およびスライド部材３の上方を覆うように第２カバー部材１ｄが配置され、ケース１ｋに係合される。このように第２カバー部材１ｄを配置することで、第１カード収納部１ａの上方に第２カード収納部１ｂおよび第１排出機構収納部１ｇが形成され、付勢部材４およびスライド部材３を有してなる第１排出機構３０が、第１排出機構収納部１ｇ内に配置される。すなわち、第１排出機構３０は、第１カード収納部１ａの上方で、かつ第２カード収納部１ｂの側方に配置されている。なお、スライド部材３は、レバー部３ｄの摘み部３ｅを第１排出機構収納部１ｇから外方へ突出させた状態で、奥行方向ＩＤ（Ｙ２方向側からＹ１方向側）に沿ってスライド可能に保持されている。また、第２カバー部材１ｄを配置することで、付勢部材留め１ｖは、第１排出機構収納部１ｇ内に突出するように配置されるとともに、付勢部材４の一方（Ｙ２方向側）の端部と係合する。付勢部材留め１ｖが付勢部材４の一方（Ｙ２方向側）の端部と係合することで、付勢部材４は、付勢部材留め１ｖと付勢部材配置部３ｆ（図１２参照）の一方（Ｙ１方向側）の内壁とに弾接し、奥行方向ＩＤに沿ってスライド可能に保持されているスライド部材３を奥行方向ＩＤへ付勢する。また、第２端子部２ｂは第２カード収納部１ｂ内に突出するように配置されている。このようにカードコネクタ１００は形成される。
【００３３】
次にカードコネクタ１００の動作について図１および図１４ないし図１７を用いて説明する。図１４は第１実施形態における第１カードＣＡ１および第２カードＣＡ２が挿入されたカードコネクタ１００の外観を示す斜視図である。図１５は図１４に示すＺ１方向側から見た状態の第１カードＣＡ１および第２カードＣＡ２が挿入されたカードコネクタ１００の外観を示す平面図である。図１６は図１４に示すＺ１方向側から見た状態の第１カードＣＡ１および第２カードＣＡ２が挿入されたカードコネクタ１００の外観を示す平面図である。なお、図１６においては第２カバー部材１ｄおよび第２カードＣＡ２を図示していない。図１７は図１６に示す状態から第１カードＣＡ１を排出した状態を示す平面図である。なお、図１６においては第２カバー部材１ｄおよび第２カードＣＡ２を図示していない。また、排出される前の状態の第１カードＣＡ１およびスライド部材３は破線で示している。
【００３４】
カードコネクタ１００は、図１に示すように、第１カードＣＡ１および第２カードＣＡ２を奥行方向ＩＤ（図７参照）に沿って挿入可能であり、第１カードＣＡ１および第２カードＣＡ２を挿入すると、図１４に示すような状態となる。図１５に示すように、第２カードＣＡ２は、第２カード収納部１ｂ（図１３参照）に挿入されると、ストッパ部１ｘに接触することで挿入がガイドされるとともに規制され、第２カードＣＡ２の奥行方向ＩＤの先端側に設けられた第２接点部ＴＲ２（図３参照）に、第２端子部２ｂ（図１３参照）がそれぞれ圧接し、カードコネクタ１００と第２カードＣＡ２とが電気的に接続される。なお、第２カード収納部１ｂに挿入された第２カードＣＡ２は、第２カードＣＡ２の奥行方向ＩＤの後端側をつまんで、奥行方向ＩＤの逆方向（Ｙ２方向）へ引き抜くことで排出できる。第１カードＣＡ１は、図１６に示すように、第１カード収納部１ａ（図１３参照）に挿入されると、第１カードＣＡ１の奥行方向ＩＤ側の前端部がスライド部材３の係止部３ｇに接触することで挿入が規制され、第１カードＣＡ１の下面に設けられた第１接点部ＴＲ１（図３参照）に、第１端子部２ａ（図１３参照）がそれぞれ圧接し、カードコネクタ１００と第１カードＣＡ１とが電気的に接続される。なお、スライド部材３は、付勢部材４により、奥行方向ＩＤへ付勢され、ケース１ｋのガイド壁１ｗに当接している。また、第１カード収納部１ａに挿入された第１カードＣＡ１は、第１排出機構３０の一部であるスライド部材３の摘み部３ｅをつまんで、図１７に示すように、奥行方向ＩＤに沿って、スライド部材３を奥行方向ＩＤの逆方向（Ｙ２方向）へスライドさせることで排出することができる。なお、スライド部材３を奥行方向ＩＤの逆方向へスライドさせることで、第２カバー部材１ｄの付勢部材留め１ｖ（図１３参照）と付勢部材配置部３ｆの一方（Ｙ１方向側）の内壁とに挟まれた付勢部材４は、付勢部材留め１ｖ側へ押し付けるように圧縮される。そのため、スライド部材３へのスライド操作をやめると、付勢部材４の付勢力により、スライド部材３は第１カードＣＡ１が排出される前の位置に戻る。このようにして、第１排出機構３０は第１カードＣＡ１を排出させることができる。
【００３５】
以下、第１実施形態としたことによる効果について説明する。
【００３６】
第１実施形態のカードコネクタ１００では、第１カードＣＡ１および第１カードＣＡ１よりも幅狭の第２カードＣＡ２を収納可能であり、第１カードＣＡ１を収納可能な第１カード収納部１ａおよび第２カードＣＡ２を収納可能な第２カード収納部１ｂを有するハウジング１と、第１カードＣＡ１および第２カードＣＡ２と接触可能な端子部２と、第１カードＣＡ１を排出させる第１排出機構３０と、を備え、第２カード収納部１ｂは第１カード収納部１ａの上方に配置され、第１カードＣＡ１および第２カードＣＡ２は奥行方向ＩＤに沿って挿入、排出され、第１排出機構３０は、奥行方向ＩＤに沿ってスライド可能に配置されたスライド部材３を有し、スライド部材３を奥行方向ＩＤに沿ってスライドさせることで第１カードＣＡ１を排出するカードコネクタであって、第１排出機構３０は、第１カード収納部１ａの上方で、かつ第２カード収納部１ｂの側方に配置されている、構成とした。
【００３７】
これにより、第２カードＣＡ２は第１カードＣＡ１よりも幅狭であるため、第２カード収納部１ｂも第１カード収納部１ａよりも幅狭に形成することができる。そのため、第１カード収納部１ａの上方で、かつ第２カード収納部１ｂの側方には、幅寸法が第１カード収納部１ａの幅寸法と第２カード収納部１ｂの幅寸法との差分の領域ができる。この領域に第１排出機構３０を配置することで、従来のように、第１カード収納部１ａおよび第２カード収納部１ｂの側方に第１排出機構３０を配置する構成に比べて、第１排出機構３０による幅方向への突出が抑えられ、幅方向の小型化を図ることができる。したがって、小型で複数種類のカードを同時に収納することができるカードコネクタを提供することができる、という効果を奏する。
【００３８】
また、第１実施形態のカードコネクタ１００では、ハウジング１は、第１カード収納部１ａの上方を覆うように配置された第１カバー部材１ｃと、空間部１ｅを挟んで第１カバー部材１ｃの上方に配置された第２カバー部材１ｄと、を有し、第１カバー部材１ｃまたは第２カバー部材１ｄのいずれか一方（第１実施形態においては第２カバー部材１ｄ）は空間部１ｅに向かって延出形成された仕切部１ｆを有し、空間部１ｅの、仕切部１ｆを挟んで一方側を第２カード収納部１ｂとするとともに、他方側を第１排出機構３０が収納される第１排出機構収納部１ｇとする、構成とした。
【００３９】
これにより、第２カバー部材１ｄに仕切部１ｆを設け、空間部１ｅを第２カード収納部１ｂと第１排出機構収納部１ｇとに仕切る構成とした。これにより、空間部１ｅを第２カード収納部１ｂと第１排出機構収納部１ｇとに仕切るため部材を別途追加する必要がなく、構成部品数を抑制することができる、という効果を奏する。
【００４０】
また、第１実施形態のカードコネクタ１００では、第２カバー部材１ｄを金属板から形成するとともに、仕切部１ｆを第２カバー部材１ｄの一部を板金加工することで形成している。そのため、仕切部１ｆを容易に形成することができる。同様に、付勢部材留め１ｖおよびストッパ部１ｘも、第２カバー部材１ｄの一部を板金加工することで形成している。したがって、構成部品数を抑制することができるとともに、容易に形成することができる。
【００４１】
また、第１実施形態のカードコネクタ１００では、スライド部材３は、奥行方向ＩＤにスライド支持される本体部３ａから下方へ突出して形成されるとともに、第１カバー部材１ｃの上面に形成された開口１ｈに挿通され、第１カードＣＡ１の奥行方向側の前端部に当接可能な係止部３ｇを備えた、構成とした。
【００４２】
これにより、第１排出機構３０を第１カード収納部１ａの上方で、かつ第２カード収納部１ｂの側方に配置しても、係止部３ｇを第１カード収納部１ａに収納された第１カードＣＡ１に当接可能となる。よって、スライド部材３を手前に引き出すことで、第１カードＣＡ１を第１カード収納部１ａから排出することができ、第１カードＣＡ１が小型であった場合でも排出しやすい、という効果を奏する。
【００４３】
また、第１実施形態のカードコネクタ１００では、第１排出機構３０の上下方向の寸法および空間部１ｅの上下方向の寸法は、第２カードＣＡ２の厚さ寸法とほぼ同一の寸法に形成されている、構成とした。
【００４４】
これにより、第１排出機構３０の上下方向の寸法および空間部１ｅの上下方向の寸法を第２カードＣＡ２の厚さ寸法とほぼ同一の寸法に形成することで、第１排出機構３０を第１カード収納部１ａの上方で、かつ第２カード収納部１ｂの側方に配置したとしても、上下方向の寸法は従来と同等の寸法とすることができる。したがって、幅方向において小型であるとともに高さ寸法が従来と同等のカードコネクタを提供することができる、という効果を奏する。
【００４５】
また、第１実施形態のカードコネクタ１００では、第２カードＣＡ２の幅寸法が大きくなる部分にストッパ部１ｘを当接させることで第２カードＣＡ２の挿入を規制する構成とした。このような構成とすることで、仮に第２カードＣＡ２が表裏逆に挿入されたり、挿入方向が逆に挿入されるなどの誤挿入があった場合でも、第２カードＣＡ２を挿入したときの奥行方向ＩＤにおいて先端側のいずれかの箇所がストッパ部１ｘに当接し、第２カードＣＡ２が第２端子部２ｂに接触しない構造となっている。したがって、誤挿入による第２端子部２ｂの変形を防止することができる。
【００４６】
以上のように、本発明の実施形態に係るカードコネクタを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００４７】
[変形例１]
第１実施形態において、第２カバー部材１ｄは空間部１ｅに向かって延出形成された仕切部１ｆを有する構成としたが、第１カバー部材１ｃが仕切部を有する構成であってもよい。
【００４８】
[変形例２]
第１実施形態において、第２カード収納部１ｂは第１カード収納部１ａの上方に配置され、第１排出機構３０は、第１カード収納部１ａの上方で、かつ第２カード収納部１ｂの側方に配置されている、構成とした。例えば、以下のような構成であっても良い。第２カード収納部１ｂは第１カード収納部１ａの下方に配置され、第１排出機構３０は、第１カード収納部１ａの下方で、かつ第２カード収納部１ｂの側方に配置されている構成。このような構成であっても、第１実施形態のカードコネクタ１００と同様に、小型で複数種類のカードを同時に収納することができるカードコネクタを提供することができる。
【００４９】
[変形例３]
第１実施形態において、例えば図１においては、Ｙ２方向側から見たときに、第１排出機構収納部１ｇは、第２カード収納部１ｂのＸ１方向側に配置されているが、第１排出機構収納部１ｇが、第２カード収納部１ｂのＸ２方向側に配置されていても良い。
【符号の説明】
【００５０】
１      ハウジング
１ａ    第１カード収納部
１ｂ    第２カード収納部
１ｃ    第１カバー部材
１ｄ    第２カバー部材
１ｅ    空間部
１ｆ    仕切部
１ｇ    第１排出機構収納部
１ｈ    開口
１ｋ    ケース
１ｍ    底面部
１ｎ    側壁
１ｐ    奥壁
１ｑ    第１天板部
１ｒ    第１横板部
１ｓ    第２天板部
１ｔ    第２横板部
１ｕ    奥板部
１ｖ    付勢部材留め
１ｗ    ガイド壁
１ｘ    ストッパ部
２      端子部
２ａ    第１端子部
２ｂ    第２端子部
３      スライド部材
３ａ    本体部
３ｂ    上側本体部
３ｃ    下側本体部
３ｄ    レバー部
３ｅ    摘み部
３ｆ    付勢部材配置部
３ｇ    係止部
４      付勢部材
３０    第１排出機構
１００  カードコネクタ
ＣＡ１  第１カード
ＣＡ２  第２カード
ＩＤ    奥行方向
ＴＲ１  第１接点部
ＴＲ２  第２接点部
【図１】
2015133294.tif 000003
【図２】
2015133294.tif 000004
【図３】
2015133294.tif 000005
【図４】
2015133294.tif 000006
【図５】
2015133294.tif 000007
【図６】
2015133294.tif 000008
【図７】
2015133294.tif 000009
【図８】
2015133294.tif 000010
【図９】
2015133294.tif 000011
【図１０】
2015133294.tif 000012
【図１１】
2015133294.tif 000013
【図１２】
2015133294.tif 000014
【図１３】
2015133294.tif 000015
【図１４】
2015133294.tif 000016
【図１５】
2015133294.tif 000017
【図１６】
2015133294.tif 000018
【図１７】
2015133294.tif 000019
【図１８】
2015133294.tif 000020